(57)【要約】【課題】収納スペースを確保しつつ、小物類を清潔で見栄えよく展示することができる玄関用展示収納箱を提供する。【解決手段】玄関用展示収納箱１０を、天面に開口１６を有しており、玄関用収納家具Ａの天板Ｂ上に載置される箱本体１２と、開口１６に取り付けられた、少なくとも一部に透明部４６を有している透明天板１４とで構成することにより、上記課題を解決することができる。【選択図】図１
2012081195.tif 000002
【特許請求の範囲】
【請求項１】
天面に開口を有しており、玄関用収納家具の天板上に載置される箱本体と、
前記開口に取り付けられた、少なくとも一部に透明部を有している透明天板とで構成されていることを特徴とする玄関用展示収納箱。
【請求項２】
前記箱本体には、前記箱本体内に収納配置された小物類を出し入れするための引き出しが設けられていることを特徴とする請求項１に記載の玄関用展示収納箱。
【発明の詳細な説明】
【技術分野】
【０００１】
本発明は、小物類を玄関に展示するのに好適な玄関用展示収納箱に関する。
【背景技術】
【０００２】
ほとんどの一般住宅における玄関には、靴や傘等を収納する玄関収納家具が設置されている。もちろん、靴や傘に限らず、靴磨き用具や印鑑等といったように、収納する小物類は各家庭によって様々である。特に最近では、家族の写真や趣味の小物類を玄関に展示して積極的に訪問客の目に触れるようにすることも多い。
【０００３】
これらの小物類を収納する玄関収納家具の構造として、特許文献１には、玄関収納家具に小物用引き出しを設けて、小物類を収納することが開示されている。
【先行技術文献】
【特許文献】
【０００４】
【特許文献１】特開２００２−８５１７１号公報
【発明の概要】
【発明が解決しようとする課題】
【０００５】
しかしながら、玄関収納家具の内部に引き出しを設けると、傘のような長尺物を収納するスペースが圧迫されてしまい、玄関収納家具に求められる収納量を確保できなくなるおそれがあった。
【０００６】
さらに、玄関に展示したい小物類は、玄関収納家具の天板に露出した状態で載置しなければならず、小物類をこのように露出した状態で展示すると、これら小物類が埃等で汚れやすくなり、さらに、小物類を常に意識して綺麗に整理しておかないと、普段の生活中で不所望に小物類に触れたりしてしまい（小さな子供がいる住宅であればなおさら）、すぐに雑然として見栄えが悪くなるという問題があった。
【０００７】
本発明は、このような従来技術の問題点に鑑みて開発されたものである。それゆえに本発明の主たる課題は、収納スペースを確保しつつ、小物類を清潔で見栄えよく展示することができる玄関用展示収納箱を提供することにある。
【課題を解決するための手段】
【０００８】
請求項１に記載した発明は、「天面に開口１６を有しており、玄関用収納家具Ａの天板Ｂ上に載置される箱本体１２と、
前記開口１６に取り付けられた、少なくとも一部に透明部４６を有している透明天板１４とで構成されていることを特徴とする玄関用展示収納箱１０」である。
【０００９】
この発明に係る玄関用展示収納箱１０は、既存の玄関用収納家具Ａの天板Ｂ上に載置するようになっているので、当該玄関用収納家具Ａの収納能力を減じることなく、小物類の収納スペースを追加することができる。
【００１０】
また、積極的に展示したい小物類を箱本体１２内における透明天板１４の透明部４６に対応する位置に収納配置することにより、当該小物類が埃等で汚れたり、不所望に触れて雑然としたりするのを回避できる。
【００１１】
もちろん、「展示したい小物類」に限らず、印鑑等を収納配置してもよく、この場合、透明天板１４越しに印鑑等が見えるので、必要なときに探しやすいという利点がある。
【００１２】
なお、本明細書において「透明」とは、完全な意味で「透き通っている」場合のみならず、例えば磨りガラス越しに見た場合のように、収納された小物類の輪郭を明瞭に把握することはできないものの、当該小物類が何であるかが判る程度であれば、その場合も「透明」に含まれる。もちろん、「無色」透明、「有色」透明、あるいは模様が付されているものも含まれる。
【００１３】
請求項２に記載した発明は、請求項１に記載の玄関用展示収納箱１０に関し、「前記箱本体１２には、前記箱本体１２内に収納配置された小物類を出し入れするための引き出し２０が設けられている」ことを特徴とする。
【００１４】
箱本体１２内に収納配置された小物類を出し入れするための引き出し２０を設けることにより、箱本体１２に収納配置する小物類の出し入れが行い易くなり、万一、透明天板１４の上に別の小物類が載置されている場合であっても、それらを片づけることなく箱本体１２内の小物類を整理できる。
【００１５】
また、引き出し２０を箱本体１２から取り外すことによって清掃がし易くなり、さらに、引き出し２０を玄関から居室へ持ち込むことができるので、展示したい小物類をじっくりと時間をかけて収納配置したり、逆に、時間をかけて収納配置した小物類を居室で来客等にじっくりと鑑賞してもらうことができるようになる。
【発明の効果】
【００１６】
本発明が適用された玄関用展示収納箱であれば、収納スペースを確保しつつ、小物類を清潔で見栄えよく展示することができる。
【図面の簡単な説明】
【００１７】
【図１】本発明の玄関用展示収納箱を示す分解斜視図である。
【図２】透明天板の他の実施例を示す図である。
【図３】他の実施例に係る玄関用展示収納箱を示す斜視図である。
【図４】玄関用展示収納箱の使用方法を示す斜視図である。
【図５】玄関用展示収納箱の他の使用方法を示す斜視図である。
【図６】玄関用展示収納箱の他の使用方法を示す斜視図である。
【発明を実施するための形態】
【００１８】
本発明が適用された玄関用展示収納箱１０の実施例について、図面を用いて説明する。図１に示すように、玄関用展示収納箱１０は、大略、箱本体１２と、透明天板１４とで構成されている。
【００１９】
箱本体１２は、その天面に開口１６を有し、ムク材、集成材、単板積層材（ＬＶＬ）、ＭＤＦ等の木質材で形成された、住宅の玄関に配置された玄関用収納家具Ａの天板Ｂ上に載置される箱であり、本体部１８と、引き出し２０とで構成されている。箱本体１２の材質は、木質材に限られず、ＡＢＳ樹脂、オレフィン系樹脂等の合成樹脂、あるいはステンレスやアルミニウム等の金属を使用することもできるが、触れたときの感触が良く、暖かみが感じられる木質材を使用するのが好適である。
【００２０】
本体部１８は、矩形状の底板２２と、該底板２２における両方の短辺側の端部に立設された一対の矩形状の側板２４と、底板２２における一方の長辺側の端部に立設された、側板２４と同じ高さの矩形状の奥板２６とで構成されている。すなわち、図示するように、本体部１８には、一対の側板２４と奥板２６と底板２２とで囲まれた引き出し収容空間２８が形成されているとともに、当該引き出し収容空間２８の上面全体が開口１６になっており、奥板２６が設けられた長辺とは反対側の長辺側（以下、「手前側面３０」という。）も、引き出し２０を差し込むことができるように開口している。
【００２１】
また、一対の側板２４および奥板２６の引き出し収容空間２８側面における上端部には、透明天板１４を水平方向に差し入れるための透明天板用溝３２が形成されている。さらに、一対の側板２４の引き出し収容空間２８側面における中央部からやや下方寄りには、引き出し２０のガイド４４（後述）を受ける棒状のガイド受け３４が取り付けられている。
【００２２】
引き出し２０は、本体部１８と同じ材料で形成されており、内部に展示収納空間３６を有しているとともに、上面が開口した引き出し箱３８と、引き出し箱３８における一方の長辺側面に取り付けられた手前側板４０とで構成されている。
【００２３】
また、引き出し２０を本体部１８の引き出し収容空間２８に収めたときに外観上の統一感を出すため、引き出し２０の手前側板４０は、本体部１８の両側板２４および奥板２６と同じ高さに設定され、かつ、同じ外側表面の仕上（塗装、突き板、化粧紙等）が施されている。また、引き出し２０を引っ張りやすくするため、手前側板４０の外面に把手（図示せず）を取り付けてもよい。また、引き出し２０に鍵（図示せず）を設けることによって、セキュリティを強化してもよい。
【００２４】
さらに、引き出し箱３８を構成する両側面板４２の外面には、引き出し箱３８を本体部１８の引き出し収容空間２８に収めるときのガイド４４が取り付けられている。なお、ガイド４４（およびガイド受け３４）は、図示したものに限られず、市販のものを使用することができる。
【００２５】
透明天板１４は、少なくとも一部に透明部４６を有する、ガラスあるいは樹脂製の矩形状板材であって、箱本体１２の本体部１８に形成された透明天板用溝３２にぴったりと取り付けて箱本体１２の開口１６を覆うことのできる寸法に設定されている。
【００２６】
透明部４６は、後述するように、展示収納空間３６に収納配置した小物類の輪郭が明瞭に把握できる程度まで完全に「透き通っている」場合のみならず、例えば磨りガラス越しに見た場合のように、収納された小物類の輪郭を明瞭に把握することはできないものの、当該小物類が何であるかが判別できるような部分である。
【００２７】
また、透明部４６の領域は、図１に示すように、透明天板１４の全領域である場合に限られず、図２（ａ）に示すように、透明天板１４の半領域（図中では、透明天板１４の左半分が透明部４６となっている。右半分は、非透明部４８である。）であってもよいし、図２（ｂ）に示すように、透明天板１４の中央部分のみであってもよい（透明部４６を囲繞するように非透明部４８が設けられている。）。
【００２８】
なお、上記実施例の玄関用展示収納箱１０では、透明天板１４を本体部１８に固定してしまい、引き出し２０を着脱することによって小物類の収納配置を可能にしているが、図３に示すように、引き出し２０を設けることなく、底板２２の四辺に、一対の側板２４、奥板２６、および手前板５０を固定することにより、本体部１８の内側に展示収納空間３６を形成してもよい。この場合、小物類を外部から展示収納空間３６に収納配置あるいは取り出し可能にするため、透明天板１４をスライド可能にしたり（図３（ａ））、あるいは透明天板１４の奥板２６側端部を本体部１８から軸支することにより、透明天板１４を必要に応じてはね上げ可能にしたりする必要がある（図３（ｂ））。
【００２９】
本実施例に係る玄関用展示収納箱１０の製造手順を簡単に説明すると、予め透明天板用溝３２を形成しておいた一対の側板２４、および奥板２６を底板２２の上面に固定し、然る後、一対のガイド受け３４を取り付けて箱本体１２の本体部１８を完成させる。
【００３０】
これとともに、引き出し箱３８に手前側板４０を固定した後、両側面板４２の外面にそれぞれガイド４４を取り付けて引き出し２０を完成させる。
【００３１】
然る後、透明天板１４を本体部１８の透明天板用溝３２に差し入れ、最後に、ガイド受け３４にガイド４４を沿わせて引き出し２０を本体部１８の引き出し収容空間２８に嵌め入れることにより、玄関用展示収納箱１０が完成する。
【００３２】
この玄関用展示収納箱１０の固定方法について、図４を用いて簡単に説明すると、傘や靴等を収納する玄関用収納家具Ａの天板Ｂ上に本体部１８の底板２２を対向させて玄関用展示収納箱１０を載置し、然る後、玄関用収納家具Ａの内側空間から、木ネジを用いて、玄関用収納家具Ａの天板Ｂと本体部１８の底板２２とを固定することにより、玄関用展示収納箱１０を玄関用収納家具Ａに固定する。
【００３３】
玄関用展示収納箱１０を使用する際には、本体部１８から引き出し２０を抜き出し、引き出し２０の展示収納空間３６に小物類を収納配置する。透明部４６と非透明部４８とを有する透明天板１４を使用する場合には、積極的に展示したい写真や趣味の小物類を透明部４６に対応する位置に配置し、積極的に展示する必要のない印鑑類等は非透明部４８に対応する位置に配置することになる。小物類を収納配置した引き出し２０を再び本体部１８の引き出し収容空間２８に嵌め入れることにより、作業が完了する。
【００３４】
本実施例の玄関用展示収納箱１０は、既存の玄関用収納家具Ａの天板Ｂ上に載置するようになっているので、当該玄関用収納家具Ａの収納能力を減じることなく、小物類の収納スペースを追加することができる。
【００３５】
また、積極的に展示したい小物類を、箱本体１２内における透明天板１４の透明部４６に対応する位置に収納配置することにより、当該小物類が埃等で汚れたり、不所望に触れて雑然としたりするのを回避できる。
【００３６】
もちろん、「展示したい小物類」に限らず、印鑑等を収納配置してもよく、この場合、透明天板１４越しに印鑑等が見えるので、必要なときに探しやすいという利点がある。
【００３７】
また、箱本体１２に引き出し２０を設けることにより、箱本体１２に収納配置する小物類の出し入れが行い易くなり、万一、透明天板１４の上に別の小物類が載置されている場合であっても、それらを片づけることなく箱本体１２内の小物類を整理できる。
【００３８】
また、引き出し２０を箱本体１２から取り外すことによって清掃がし易くなり、さらに、引き出し２０を玄関から居室へ持ち込むことができるので、展示したい小物類をじっくりと時間をかけて収納配置したり、逆に、時間をかけて収納配置した小物類を居室で来客等にじっくりと鑑賞してもらうことができるようになる。
【００３９】
なお、上述の実施例では、玄関用展示収納箱１０を玄関用収納家具Ａの天板Ｂ上に平置きする場合について説明したが、図５に示すように、玄関用展示収納箱１０の本体部１８における一方の側板２４を玄関用収納家具Ａの天板Ｂ上に対向させて玄関用収納家具Ａに載置してもよい（縦置き）。
【００４０】
また、図６に示すように、玄関用収納家具Ａの上方に天袋Ｃが設けられている場合には、当該天袋Ｃの底面ＤにダウンライトＥを設けてもよい。この場合、玄関用展示収納箱１０内に展示収納した小物類をダウンライトＥで照らすことができるので、夜間等の暗がりでも小物類を鑑賞できるとともに、ダウンライトＥからの明かりが間接照明の役割も果たすこととなり、より演出性を高めて、洗練された雰囲気の玄関を構成することができる。
【符号の説明】
【００４１】
１０…玄関用展示収納箱
１２…箱本体
１４…透明天板
１６…開口
１８…（箱本体の）本体部
２０…引き出し
２２…底板
２４…側板
２６…奥板
２８…引き出し収容空間
３０…手前側面
３２…透明天板用溝
３４…ガイド受け
３６…展示収納空間
３８…引き出し箱
４０…手前側板
４２…（引き出し箱の）側面板
４４…ガイド
４６…透明部
４８…非透明部
５０…手前板
Ａ  …玄関収納家具
Ｂ  …（玄関収納家具）の天板
Ｃ  …天袋
Ｄ  …（天袋の）底面
【図１】
2012081195.tif 000003
【図３】
2012081195.tif 000004
【図４】
2012081195.tif 000005
【図５】
2012081195.tif 000006
【図６】
2012081195.tif 000007
【図２】
2012081195.tif 000008